(57)【特許請求の範囲】
【請求項１】
水平な山面と谷面とが斜面で連続して台形波形断面形状をなし、デッキプレート幅方向の両側縁に、隣接するデッキプレートどうしを互いに係合させるための係合部を有し、デッキプレート長さ方向端部を押し潰すことにより傾斜部を経て形成された端部閉塞の梁載置部を山面と谷面との中間高さ位置に備えた中間エンドクローズドタイプのデッキプレートにおいて、
前記両側縁の係合部の一方は、谷面と同一高さの平坦部から立ち上がり次いで幅方向外方に延びた後に下向きで内方に折り返された下向き係合部、他方は、谷面と同一高さの平坦部から上向きで内方に折り返された上向き係合部であって、前記上向き係合部が下向き係合部の内側スペースに嵌合して互いに係合するものであり、
前記下向き係合部は、押潰し変形を受けていない部分から前記傾斜部に切り替わる折れ曲がり箇所の近傍において、そのエッジが外方に引き出されて外向きとなった板状をなしていることを特徴とするデッキプレート。
【請求項２】
水平な山面と谷面とが斜面で連続して台形波形断面形状をなし、デッキプレート幅方向の両側縁に、隣接するデッキプレートどうしを互いに係合させるための係合部を有し、デッキプレート長さ方向端部を谷面側から押し潰すことにより傾斜部を経て形成された端部閉塞の梁載置部を山面の高さ位置に備えた逆エンドクローズドタイプのデッキプレートにおいて、
前記両側縁の係合部の一方は、谷面と同一高さの平坦部から立ち上がり次いで幅方向外方に延びた後に下向きで内方に折り返された下向き係合部、他方は、谷面と同一高さの平坦部から上向きで内方に折り返された上向き係合部であって、前記上向き係合部が下向き係合部の内側スペースに嵌合して互いに係合するものであり、
前記下向き係合部は、押潰し変形を受けていない部分から前記傾斜部に切り替わる折れ曲がり箇所の近傍において、そのエッジが外方に引き出されて外向きとなった板状をなしていることを特徴とするデッキプレート。
【発明の詳細な説明】
【技術分野】
【０００１】
この発明は、デッキプレート長さ方向端部を押し潰して山面と谷面との中間高さ位置に端部閉塞の梁載置部を形成したいわゆる中間エンドクローズド（以下エンクロという）タイプのデッキプレート、及び下側から押し潰して山面の高さ位置に端部閉塞の梁載置部を形成したいわゆる逆エンクロタイプのデッキプレートに関し、特に、隣接するデッキプレートどうしを互いに係合させるための係合部を幅方向両側縁に有するデッキプレートに関する。
【背景技術】
【０００２】
図７に示すように、水平な山面２と谷面３とが斜面４で連続して台形波形断面形状をなすデッキプレート１はコンクリート床を構築する際の捨て型枠として広く用いられている。
そして、敷き並べたデッキプレート上にコンクリートを打設した時に、コンクリートが隣接するデッキプレート間の隙間から漏れないように、図示のように、デッキプレート幅方向の両側縁に、隣接するデッキプレートどうしを互いに係合させるための係合部６、７を形成することが行われている。
前記係合部６、７は、図１２（イ）に拡大して示すように、その一方は、谷面３と同一高さの平坦部８から立ち上がり次いで幅方向外方に延びた後に下向きで内方に折り返された下向き係合部６、他方は、谷面３と同一高さの平坦部９から上向きで内方に折り返された上向き係合部７（なお図示例ではさらに外側に折り返されている）であって、前記上向き係合部７が下向き係合部６の内側スペースｂに嵌合して互いに係合し、この部分からコンクリートが漏れることを防止できる。
なお、図示例のデッキプレート１は、山面２及び谷面３のそれぞれ中央に、山面２又は谷面３の剛性を高めるための溝２ａ又は凸条３ａを持つ。また、図示例のデッキプレート１は、コンクリートと一体になって荷重を負担する合成床版用のデッキプレートであって、斜面４に段差部４ａを有し、この段差部４ａにより、打設後硬化したコンクリートとデッキプレート１とが一体化する。
【０００３】
この種のデッキプレート１を、端部閉塞処理をせずにそのまま型枠として用いる（図１３（イ）のデッキプレート１Ａ）と、端部開口（山面の下側部分）からコンクリートが流出するので、その端部開口を小口ふさぎ板で塞ぐか、あるいは図１３（ロ）〜（ニ）のようなエンクロデッキプレート、すなわち端部閉塞のデッキプレート１Ｂ、１Ｃ、１Ｄを用いる。
【０００４】
図１３（ロ）のデッキプレート１Ｂは、デッキプレートの長さ方向端部を上から（山面２が谷面３側にくるように）押し潰して端部閉塞の梁載置部５Ｂを形成したもので通常のエンクロデッキプレートである。
図１３（ハ）のデッキプレート１Ｃは、長さ方向端部を前記とは逆に下から（谷面３が山面２側にくるように）押し潰して端部閉塞の梁載置部５Ｃを形成したもので、いわゆる逆エンクロタイプのデッキプレートである。この逆エンクロタイプのデッキプレート１Ｃは、山面２の高さ位置が低くなるので、構築したコンクリート床の床面高さ位置を低くすることができ、建物の階高を節約できる等の長所がある。
図１３（ニ）のデッキプレート１Ｄは、長さ方向端部を押し潰して、山面２と谷面３との中間高さ位置に端部閉塞の梁載置部５Ｄを形成したもので、いわゆる中間エンクロタイプのデッキプレートである。この中間エンクロタイプのデッキプレート１Ｄは、階高節約という長所を備えつつ、梁１０上でのコンクリート厚みを確保できる。
また、図１４に示したデッキプレート１’のように、梁載置部５として、下面の平坦域のデッキプレート長さ方向の長さＬ１に対して上面の平坦域のデッキプレート長さ方向Ｌ２を短く形成した中間エンクロタイプのデッキプレートも考えられる。図１０はデッキプレートがこの中間エンクロタイプである場合の従来例のデッキプレート１’を示した斜視図、図１１はその要部の拡大図である。
【０００５】
この種のデッキプレートにおけるエンクロ部の加工は、デッキプレートの長さ方向端部近傍を上下の金型で押し潰す加工であるが、従来は両側縁の係合部６、７もそれに隣接する平坦部８、９と同じように押し潰していた。
【０００６】
中間エンクロタイプ又は逆エンクロタイプのデッキプレート１’、１Ｄ、１Ｃ（以下符号１’で代表する）のように、下面側に傾斜部１６、１６Ｄ、１６Ｃ（以下符号は１６で代表する）を持つエンクロデッキプレートの場合、押潰し変形を受けていない部分から傾斜部１６に切り替わる折れ曲がり箇所Ｐ’において、特に嵌合の外側となる下向き係合部６が潰されることで、デッキプレート１’を敷き並べる時に係合部６、７どうしの係合が適切に行われず、このためデッキプレート敷き並べの幅方向寸法取りが設計通りにならないという問題があり、また、係合部６、７間に隙間が生じてコンクリート漏れが生じるという問題が生じる。
すなわち、変形を受けていない部分では、図１２（イ）に示すように、上向き係合部７が下向き係合部６の内側スペースｂに正常に嵌合して互いに係合することが可能である。また、梁載置部５では図１２（ニ）に示すように、押し潰された上向き係合部７の上に同じく押し潰された下向き係合部６を重ねることが可能である。
しかし、押潰し変形を受けていない部分（図１２（イ）のように正常に嵌合する部分）から押し潰し変形を受けた傾斜部１６に切り替わる折れ曲がり箇所Ｐ’では、両係合部６、７は図１２（ロ）のようにそれぞれ潰れた形に変形するが、特に下向き係合部６の内側スペースｂが狭くなるので、上向き係合部７を下向き係合部６の内側スペースｂに嵌合させることができない。
したがって、両係合部６、７の係合状態は、図１２（ハ）に示すように、下向き係合部６のエッジが上向き係合部７に当たった状態となる。このように係合部６、７どうしが1箇所にでも互いに突き当たると、デッキプレート全長に亘って、一方のデッキプレートを他方のデッキプレートに対してデッキプレート幅方向に接近するようにずらす必要がある。この時、押潰し変形を受けていない部分における両係合部６、７は図１２（ホ）のような隙間の広い係合状態となる。このため、デッキプレート敷き並べの幅方向寸法取りが設計通りにならない（実際の幅方向基準寸法が設計より短くなる）。また、両係合部６、７が隙間の広い係合状態となるので、その部分からコンクリートが漏れ易くなる。
【０００７】
特許文献１は、図７のような断面形状のデッキプレートの場合ではなく、上面がフラットなフラットデッキプレートにエンクロ加工を施した場合のものであるが、隣接したフラットデッキプレートを連結するための一方の係止片を他方の係止溝に差し込むことができなくなる問題を解消するために、係止片の部分を素板の段階（ロール成形の段階）で切り落としてしまう方法が提案されている。
【特許文献１】特開平11-151538の図６、図７など
【発明の開示】
【発明が解決しようとする課題】
【０００８】
上述のように、両側縁の係合部６、７をそれに隣接する平坦部８、９と同じように押し潰したエンクロ形状では、下向き係合部６の内側スペースｂが狭くなって、上向き係合部７を下向き係合部６に嵌合させることができず、このため、デッキプレート敷き並べの幅方向寸法取りに狂いが生じ、またその部分からコンクリートが漏れ易くなる。
一方、フラットデッキプレートの場合の特許文献１と同様にして、素板の段階（ロール成形の段階）で折れ曲がり箇所Ｐの係合部６、７の一方又は両方を切り落とすことが考えられる。折れ曲がり箇所Ｐの係合部６、７の一方又は両方を切り落とすことで、両係合部６、７が互いに突き当たる箇所がなくなり、デッキプレートを全長に亘って幅方向にずらさずに済む。しかし、垂直な板状の係止片が狭い係止溝に入り込む係合構造のフラットデッキプレートの場合と異なり、図７のような断面形状のデッキプレート１の係合部６、７を切り落とす場合は、やや広い面積を切り落とすことになり、その部分からコンクリートが漏れる恐れがある。
また、切り落とした箇所の断面性能が低下するという問題もある。さらに、ロール成形時に切り落とした切り屑の処理が煩雑となる。
【０００９】
本発明は上記従来の欠点を解消するためになされたもので、中間エンクロ又は逆エンクロタイプでしかも両側縁に係合部を持つデッキプレートにおいて、敷き並べた時にデッキプレートの係合部どうしが折れ曲がり箇所の近傍で互いに突き当たることがなく、したがって、デッキプレート敷き並べの幅方向寸法取りが設計通りにならないという問題や、係合部間に隙間が生じてコンクリート漏れが生じるという問題が生じず、かつ、断面性能が低下する問題や煩雑な切り屑処理の問題なども生じない中間エンクロ又は逆エンクロタイプのデッキプレートを提供することを目的とする。
【課題を解決するための手段】
【００１０】
上記課題を解決する請求項１の発明は、水平な山面と谷面とが斜面で連続して台形波形断面形状をなし、デッキプレート幅方向の両側縁に、隣接するデッキプレートどうしを互いに係合させるための係合部を有し、デッキプレート長さ方向端部を押し潰すことにより傾斜部を経て形成された端部閉塞の梁載置部を山面と谷面との中間高さ位置に備えた中間エンクロタイプのデッキプレートにおいて、
前記両側縁の係合部の一方は、谷面と同一高さの平坦部から立ち上がり次いで幅方向外方に延びた後に下向きで内方に折り返された下向き係合部、他方は、谷面と同一高さの平坦部から上向きで内方に折り返された上向き係合部であって、前記上向き係合部が下向き係合部の内側スペースに嵌合して互いに係合するものであり、
前記下向き係合部は、押潰し変形を受けていない部分から前記傾斜部に切り替わる折れ曲がり箇所の近傍において、そのエッジが外方に引き出されて外向きとなった板状をなしていることを特徴とする。
【００１１】
請求項２の発明は、水平な山面と谷面とが斜面で連続して台形波形断面形状をなし、デッキプレート幅方向の両側縁に、隣接するデッキプレートどうしを互いに係合させるための係合部を有し、デッキプレート長さ方向端部を谷面側から押し潰すことにより傾斜部を経て形成された端部閉塞の梁載置部を山面の高さ位置に備えた逆エンクロタイプのデッキプレートにおいて、
前記両側縁の係合部の一方は、谷面と同一高さの平坦部から立ち上がり次いで幅方向外方に延びた後に下向きで内方に折り返された下向き係合部、他方は、谷面と同一高さの平坦部から上向きで内方に折り返された上向き係合部であって、前記上向き係合部が下向き係合部の内側スペースに嵌合して互いに係合するものであり、
前記下向き係合部は、押潰し変形を受けていない部分から前記傾斜部に切り替わる折れ曲がり箇所の近傍において、そのエッジが外方に引き出されて外向きとなった板状をなしていることを特徴とする。
【発明の効果】
【００１２】
本発明のデッキプレートにおいて、下向き係合部は、押潰し変形を受けていない部分から傾斜部に切り替わる折れ曲がり箇所の近傍において、そのエッジが外方に引き出されて板状をなしているので、施工時にデッキプレートを敷き並べた時、下向き係合部は隣接するデッキプレートの上向き係合部の上に載る形となり、したがって、両係合部間に隙間は生じず、コンクリートがその部分から漏れる恐れはない。
また、係合部を切り落とすものでないから、断面性能が低下する問題も生じず、また、切り屑処理が必要となることもない。
【発明を実施するための最良の形態】
【００１３】
以下、本発明のデッキプレートの実施例を図面を参照して説明する。
【実施例１】
【００１４】
以下に述べる実施例のデッキプレート１は図７に示した断面形状であり、水平な山面２と谷面３とが斜面４で連続して台形波形断面形状をなし、また、山面２及び谷面３のそれぞれ中央に、山面２又は谷面３の剛性を高めるための溝２ａ又は凸条３ａを持ち、また、幅方向の両側縁に、隣接するデッキプレート１どうし互いに係合させるための係合部６、７を持つ。前記両側縁の係合部６、７の一方は、谷面２と同一高さの平坦部８から立ち上がり次いで幅方向外方に延びた後に下向きで内方に折り返された下向き係合部６、他方は、谷面３と同一高さの平坦部９から上向きで内方に折り返されているが図示例ではさらに外方に折り返された上向き係合部７であり、上向き係合部７が図４（イ）のように下向き係合部６の内側スペースｂに嵌合することで互いに係合する。
また、図示例のデッキプレート１は、コンクリートと一体になって荷重を負担する合成床版用のデッキプレートであって、斜面４に段差部４ａを有し、この段差部４ａにより、打設後硬化したコンクリートとデッキプレート１とが一体化する。
【００１５】
このデッキプレート１は、いわゆる中間エンクロタイプのデッキプレートであって、デッキプレート長さ方向端部を押し潰すことにより傾斜部１６を経て形成された端部閉塞の梁載置部５を山面２と谷面３との中間高さ位置に有している。
なお、図示例の中間エンクロデッキプレート１は、図３（イ）に示すように、梁載置部５の下面の平坦域のデッキプレート長さ方向の長さＬ１に対して、上面の平坦域のデッキプレート長さ方向の長さＬ２を短く形成したものである。この構造では、デッキプレート１を梁間に掛け渡した時に梁載置部の梁から外れるオフセット部分の断面係数が大となり、剛性が向上する。なお、この場合のデッキプレート端部の押し潰し加工は、上下の金型を共に移動させて中間高さ位置に押し潰す場合と、一方の金型を固定し他方の金型及びデッキプレートを移動させて中間高さ位置に押し潰す場合の両方が可能である。
【００１６】
本発明のデッキプレート１では、下向き係合部６は、図２、図３、図４（ロ）等に示すように、押潰し変形を受けていない部分から押し潰された傾斜部１６に切り替わる折れ曲がり箇所Ｐの近傍において、そのエッジ６ａが外方に引き出されて外向きになった板状をなしている。折れ曲がり箇所Ｐの近傍の板状の部分をＳで示す。
この実施例では、折れ曲がり箇所Ｐから傾斜部１６と反対側に若干寄った位置で押し潰し変形を受けていない平坦部８において、エッジ６ａが最も外方に引き出されて外向きになっている。この場合、最も外方に引き出すエッジ６ａの位置の折れ曲がり箇所Ｐからの距離ｍは、エッジ引き出しの変形が折れ曲がり箇所Ｐにも及んで、折れ曲がり箇所Ｐにおいても概ね板状となる程度の距離とする。この実施例のように、折れ曲がり箇所Ｐから若干離れた平坦部８においてエッジ６ａを引き出すと、エッジ引き出しの加工が容易である。
但し、図５（イ）、（ロ）に示すように、折れ曲がり箇所Ｐにおいてエッジ６ａが最も外方に引き出されるようにしてもよい。要するに、折れ曲がり箇所Ｐの近傍で両係合部６、７が図１２（ロ）のような変形状態となる箇所において、下向き係合部６のエッジ６ａが外方に引き出されて折り返しのない程度に板状にされていればよい。
【００１７】
上記のデッキプレート１を捨て型枠としてコンクリートを打設して床を構築する際、デッキプレート１の梁載置部５を梁１０上に載せて敷き並べるが、その際、隣接するデッキプレート１の係合部６、７は、エンクロ加工による変形を受けていない部分では、図４（イ）に拡大して示すように、上向き係合部７を下向き係合部６の内側スペースｂに嵌合させることで、この部分からコンクリートが漏れることを防止できる。
折れ曲がり箇所Ｐでは、下向き係合部６が板状に伸ばされているので、図４（ロ）に示すように、隣接するデッキプレートの上向き係合部７の上に載る形となる。
したがって、折れ曲がり箇所Ｐの近傍で下向き係合部６が上向き係合部７に突き当たるのを避けるためにデッキプレート全長に亘って、一方のデッキプレートを他方のデッキプレートに対してデッキプレート幅方向にずらす必要（図１２（ハ）のようにずらす必要）はなく、また、押潰し変形を受けていない部分で両係合部６、７が隙間の広い係合状態となる（図１２（ホ）のような隙間の広い係合状態となる）こともない。このため、デッキプレート敷き並べの幅方向寸法取りが設計通りにならない（実際の幅方向基準寸法が設計より短くなる）という問題は生じず、また、両係合部６、７が隙間の広い係合状態となってその部分からコンクリートが漏れ易くなる問題も生じない。
また、従来のように係合部６、７を切り落とすものではないから、断面性能が低下する問題も生じず、また、切り屑処理が必要となることもない。
また、梁載置部５では、下向き係合部６及び上向き係合部７は、図４（ハ）に示すように押し潰された形状となり、下向き係合部６が上向き係合部７の上に重なる状態で係合する。なお、デッキプレート端部ではエンクロ加工によりデッキプレート幅方向に若干拡がるので、両係合部６、７は図４（ニ）のように、デッキプレート幅方向にずれて、上向き係合部７が下向き係合部６の潰れた状態の折り返し部６ｂとは重ならない状態で、下向き係合部６の下側に収まる場合もある。
なお、係合部６、７を押し潰した時、係合部６、７は不規則な変形をするので、各図に示した係合部６、７の断面形状及び相互の係合状態は模式的に示したものであって、厳格なものではない。
【実施例２】
【００１８】
上述の実施例のデッキプレート１は上面側の平坦域の長さＬ２を下面側の平坦域の長さＬ１より短くした中間エンクロデッキプレートであるが、図１３（ニ）に示したデッキプレート１Ｄのように、上下面の平坦域が同じ長さの一般的な中間エンクロデッキプレートにも当然適用することができる。すなわち、押潰し変形を受けていない部分から傾斜部１６Ｄに切り替わる折れ曲がり箇所Ｐ’の部分又はその近傍を、そのエッジが外方に引き出されて外向きとなった板状にする。
【実施例３】
【００１９】
また、本発明はいわゆる逆エンクロタイプのデッキプレートにも適用できる。図６に逆エンクロタイプのデッキプレート１Ｃに適用した場合を示す。谷面３側が山面２の高さ位置まで押し潰された逆エンクロ形状であるが、係合部６、７は前述の実施例と基本的な差異はない。すなわち、折れ曲がり箇所Ｐの近傍で下向き係合部６が板状に伸ばされており（板状の部分をＳで示す）、両係合部６、７は概ね図４（ロ）のような状態となる。
【実施例４】
【００２０】
上記実施例における上向き係合部７は、平坦部９から上向きで内方に折り返された後さらに外方に折り返された断面形状であるが、図９（イ）に示した上向き係合部７’のように、デッキプレートの谷面と同一高さの平坦部９から単に内方（図９（イ）で左方）に折り返されただけの断面形状（すなわち、さらに外方（図９（イ）で右方）に折り返された部分のない断面形状）であってもよい。
また、下向き係合部の断面形状は、上記実施例の下向き係合部６のように湾曲して折り返された断面形状に限らず、図９（ロ）に示した下向き係合部６’のように鋭角で内側に折り曲げた折り返し部６ｂ’を持つ断面形状であってもよい。また、同図のように、立上り部分６ｃ’が内方（図９（ロ）で右方）に鋭角で折れ曲がった断面形状であってもよい。要するに、上向き係合部７（又は７’）が嵌合するスペースが形成されるものであればよい。
【図面の簡単な説明】
【００２１】
【図１】本発明の一実施例のデッキプレートの一部切欠き斜視図である。
【図２】図１の要部拡大図である。
【図３】図１のデッキプレートのエンクロ部近傍を簡略化して図示したもので、（イ）は側面図、（ロ）は下向き係合部側の側縁部の平面図である。
【図４】図１のデッキプレートを敷き並べる時の下向き係合部と上向き係合部との各位置における係合状態を説明するもので、（イ）は変形を受けていない部分（図３のＡ−Ａ断面位置）での係合状態を示す断面図、（ロ）は折れ曲がり箇所Ｐの近傍（図３のＢ−Ｂ断面位置）での係合状態を説明する断面図、（ハ）は梁載置部（図３のＣ−Ｃ断面位置）での係合状態を示す断面図、（ニ）は同じく梁載置部での他の係合状態を示す断面図である。
【図５】折れ曲がり箇所Ｐでエッジを引き出した場合の実施例を示すもので、図３に対応する図である。
【図６】逆エンクロタイプのデッキプレートに適用した実施例を示すもので、（イ）及び（ロ）はそれぞれ図３の（イ）及び（ロ）に相当する図である。
【図７】本発明実施例及び従来例に共通するもので、図１又は図１０のデッキプレートの断面形状（但し厚みは省略）を示す図である。
【図８】本発明実施例及び従来例に共通するもので、図１又は図１０のＤ矢視図である（但し、左右の係合部はその断面形状が変形していない状態で図示）。
【図９】（イ）、（ロ）はそれぞれ、本発明のデッキプレートにおける係合部の断面形状についての他の変形例を示す図である。
【図１０】従来のデッキプレートの一部切欠き斜視図である。
【図１１】図１０のデッキプレートのエンクロ部近傍における下向き係合部近傍の拡大図である。
【図１２】図１０のデッキプレートを敷き並べる時の下向き係合部と上向き係合部との各位置における係合状態を説明するもので、（イ）は変形を受けていない部分での係合状態を示す断面図（図４（イ）に対応）、（ロ）は折れ曲がり箇所Ｐ’での両係合部の変形状態を説明する図、（ハ）は折れ曲がり箇所Ｐ’での係合状態を示す断面図、（ニ）は梁載置部での係合状態を示す断面図、（ホ）は折れ曲がり箇所Ｐ’で（ハ）のような係合状態にある場合における、変形を受けていない部分での係合状態を示す断面図である。
【図１３】エンクロのタイプのデッキプレートについて一般的に説明するもので、（イ）は端部閉塞していないデッキプレート、（ロ）は通常エンクロタイプのデッキプレート、（ハ）は逆エンクロタイプのデッキプレート、（ニ）は中間エンクロタイプのデッキプレートである。
【図１４】中間エンクロタイプのデッキプレートの他の例を示す図である。
【符号の説明】
【００２２】
１  デッキプレート
２  山面
３  谷面
４  斜面
５  梁載置部
６  下向き係合部
Ｓ  下向き係合部の折れ曲がり箇所近傍の板状の部分
７  上向き係合部
８、９    谷面と同一高さの平坦部
１０    梁
ｂ  （下向き係合部の）内側スペース
Ｐ  折れ曲がり箇所
【図１】
0004633586.tif 000002
【図２】
0004633586.tif 000003
【図３】
0004633586.tif 000004
【図４】
0004633586.tif 000005
【図５】
0004633586.tif 000006
【図６】
0004633586.tif 000007
【図７】
0004633586.tif 000008
【図８】
0004633586.tif 000009
【図９】
0004633586.tif 000010
【図１０】
0004633586.tif 000011
【図１１】
0004633586.tif 000012
【図１２】
0004633586.tif 000013
【図１３】
0004633586.tif 000014
【図１４】
0004633586.tif 000015